(57)【要約】【課題】専用バックをコンパクトに収納して携帯することが可能で、さらには買い物をした後に手に対する過重の負担が少ない携帯用買い物具を提供する。【解決手段】柔軟な材質からなり折り畳み自在な買い物袋２と、買い物袋２をコンパクトに折り畳んだ状態で収容することが可能な帯状のケース兼用把持部材４と、を備え、買い物袋２を携帯用に持ち運ぶ場合は、コンパクトに折り畳んだ買い物袋２を帯状から環状に巻回されたケース兼用把持部材４に収めるとともに、買い物袋２の使用時には、買い物袋２をケース兼用把持部材４から取り出すとともにこのケース兼用把持部材４を、買い物袋２の取っ手部分２ａに巻き直して緩衝部材とする。【選択図】図１
0003135439.tif 000002
【実用新案登録請求の範囲】
【請求項１】
柔軟な材質からなり折り畳み自在な買い物袋と、
前記買い物袋をコンパクトに折り畳んだ状態で収容することが可能な帯状のケース兼用把持部材と、を備え、
前記買い物袋を携帯用に持ち運ぶ場合は、コンパクトに折り畳んだ買い物袋を帯状から環状に巻回された前記ケース兼用把持部材内に収めるとともに、前記買い物袋の使用時には、前記買い物袋を前記ケース兼用把持部材から取り出すとともにこのケース兼用把持部材を、前記買い物袋の取っ手部分に巻き直して緩衝部材とすることを特徴とする携帯用買い物具。
【請求項２】
前記帯状のケース兼用把持部材には一方の端部に突起が、他方の端部に小孔が形成され、前記突起と前記小孔とが着脱自在に係合されることを特徴とする請求項１に記載の携帯用買い物具。
【請求項３】
前記ケース兼用把持部材の前記小孔は、所定間隔置きに複数個形成されていることを特徴とする請求項２に記載の携帯用買い物具。
【請求項４】
前記ケース兼用把持部材には、キーホルダが着脱自在に取り付けられていることを特徴とする請求項１〜３のいずれか1項に記載の携帯用買い物具。
【考案の詳細な説明】
【技術分野】
【０００１】
本考案は、携帯用買い物具に関するもので、詳しくは、スーパーマーケットなどでのいわゆるレジ袋の代用品として用いて好適な携帯用買い物具に関する。
【背景技術】
【０００２】
近年、省資源化の要求が高まっており、スーパーマーケットなどにおいては、レジ袋（ビニール袋）の有料化の傾向にある。
これまで、ビニール製のレジ袋に代わるものとしては、スーパーマーケットなどにおいて店独自のバックが開発され提供されている。そして、その専用バックを用いて特定の販売店で買い物をすれば、ポイントが加算されるなどして利用者の拡大を図っている。
【０００３】
ところで、これまでスーパーマーケットなどで用意された専用バックは、折り畳み自在ではあるものの持ち運びの使い勝手に際しては、特別な配慮はなされていなかった。すなわち、これまでの専用バックは、広げた状態で持ち歩いたり、他のかばんに入れて持ち運んだりするのが常だった。
【考案の開示】
【考案が解決しようとする課題】
【０００４】
しかしながら、買い物前にこの種のバックを広げた状態で持ち運ぶことにためらいを感じる人も多く、また他のかばんに入れて運ぶと、かばんの中がかさばってしまうことから、利用を控えてしまう人も多い。
【０００５】
さらに、この種のバックはレジ袋に比べて多くの荷物を収納できるため、結果として持ち帰るときに重くなるという問題があった。
本考案は、このような実情に鑑み、専用バックをコンパクトに収納して容易に持ち運ぶことが可能で、さらには買い物をした後に手に対する負担の少ない携帯用買い物具を提供することを目的としている。
【課題を解決するための手段】
【０００６】
上記目的を達成するための本考案の携帯用買い物具は、
柔軟な材質からなり折り畳み自在な買い物袋と、
前記買い物袋をコンパクトに折り畳んだ状態で収容することが可能な帯状のケース兼用把持部材と、を備え、
前記買い物袋を携帯用に持ち運ぶ場合は、コンパクトに折り畳んだ買い物袋を帯状から環状に巻回された前記ケース兼用把持部材内に収めるとともに、前記買い物袋の使用時には、前記買い物袋を前記ケース兼用把持部材から取り出すとともにこのケース兼用把持部材を、前記買い物袋の取っ手部分に巻き直して緩衝部材とすることを特徴としている。
【０００７】
このような携帯用買い物具であれば、買い物をしないときには、例えば、合成樹脂製の買い物袋をコンパクトに収めて保管しておくことが可能である。また，実際に買い物を行なった後、物品を収容する場合は、ケース兼用把持部材から買い物袋を取り外して広げれば良く、さらに店頭から物品を持ち帰る場合は、指や手が痛くないように、ケース兼用把持部材を緩衝部材として取っ手部分に巻きつけて使用すれば良い。これにより、指先などを傷めることがなく、またケース兼用把持部材を紛失する虞もない。
【０００８】
ここで、前記帯状のケース兼用把持部材には一方の端部に突起が、他方の端部に小孔が形成され、前記突起と前記小孔とが着脱自在に係合されることが好ましい。
このように、突起と孔により帯状のケース兼用把持部材の両端部が閉じられれば、ケース兼用把持部材を丸い環状の姿勢に収めることが容易である。
【０００９】
さらに、前記ケース兼用把持部材の前記小孔は、所定間隔置きに複数個形成されていることが好ましい。
このように、突起を挿入する孔を選択的にすれば、買い物用の袋をよりコンパクトにすることができる。また、緩衝部材として用いる場合も、大小様々な環を作ることができる。
【００１０】
また、前記ケース兼用把持部材には、キーホルダが着脱自在に取り付けられていることが好ましい。
このようにキーホルダが着脱自在に取り付けられていれば、他のかばん、あるいはベルトループなどに引っ掛けて持ち歩くことができる。さらに、紛失の虞を抑えることができる。
【考案の効果】
【００１１】
本考案に係る携帯用買い物具によれば、通常は、買い物袋をコンパクトに折り畳んだ状態でケース兼用把持部材に収納することができる。したがって、持ち運びの際の手間という心理的な影響も少なく美観的にも良好であるとともに、持ち運びに邪魔になることもない。さらに、買い物をした後には、ケース兼用把持部材を手で掴む部分の緩衝部材として用いることができる。したがって、買い物をした後に、把持部材がどこかにいってしまうという紛失の恐れもない。勿論手に対する負担を和らげることができる。
【００１２】
さらに、ケース兼用把持部材に突起と小孔を設けることにより、ケース兼用把持部材を容易に脱着することができる。
また、キーホルダが取り付けられていれば、ベルトのループ、かばんなど他の物品への取り付けが容易にできるので、持ち運ぶときに便利であるとともに、紛失の虞を抑えることができる。
【考案を実施するための最良の形態】
【００１３】
以下、図面に示した好ましい実施の形態について説明する。
図１は本考案に係る携帯用買い物具１０を示したものである。この携帯用買い物具１０は、図２に示した買い物袋２と、図３（Ａ），（Ｂ）に示したケース兼用把持部材４とから構成される。この携帯用買い物具１０は、非使用時すなわち空のまま家などから持ち運ぶときなどには図１に示したように、折り畳まれてコンパクトにされる。また、買い物として実際に用いる場合には、図２に示したように展開して使用される。
【００１４】
本実施例の買い物袋２は、例えば、ポリエステルからなるもので、柔軟であるとともに折り畳みおよび展開が可能にされている。またこの買い物袋２では、取っ手部分２ａ，２ａが具備されている。
【００１５】
一方、図１に示したように、コンパクトに買い物袋２を包み込んでいるケース兼用把持部材４は、例えば、ウレタンゴムなどのエラストマーからなるもので、素材が適宜な弾性と柔軟性を有している。
【００１６】
そして、このケース兼用把持部材４は、図３（Ａ），（Ｂ）に示したように、一方の端部に、凸状の突起６が形成され、他方の端部に複数の小孔８ａ、８ｂ、…８ｎが形成されている。このような突起６は、ケース兼用把持部材４と別体で形成された硬質の合成樹脂部材が、把持部材４の孔に差し込まれることで一体的に装着されている。また、突起６が差し込まれる小孔８ａ、８ｂ…は、中央の軸線に沿って所定間隔置きに形成されている。
さらに、ケース兼用把持部材４の側端部には、キーホルダ取付用小孔１１が形成され、この小孔１１にキーホルダ１２が着脱自在に取り付けられている。
【００１７】
本実施例による携帯用買い物具１０は、上記のように構成されているが、以下にその作用について説明する。
先ず、スーパーマーケットなどで買い物が完了したら、図１に示した携帯用買い物具１０を使用状態に分解する。すなわち、図３（Ａ）に示した突起６と小孔８との係合を解除し、買い物袋２をケース兼用把持部部材４から取り出して図２の姿勢とする。そして、買い物袋２内に、購入した物品を収納する。
【００１８】
さらに、物品の投入が完了したら、重量が重くなるので、図４に示したように、買い物袋２の取って部分２ａ，２ａを一握りにまとめるるとともに、ここにケース兼用把持部材４を巻きつければ良い。これにより、ケース兼用把持部材４を、緩衝部材として使用することができる。なお、小孔８に対する突起６の位置は特に限定されない。
【００１９】
次に、家などに到着したら、図４に示したケース兼用把持部材４を買い物袋２から取り外す。そして、買い物袋２を再び小さく折り畳んで丸めた状態にする。その後、ケース兼用把持部材４内に、この小さく丸められた買い物袋２を巻きつけて、突起６を小孔８に差し込めば、図１の姿勢、すなわち持ち運び姿勢となる。なお、持ち運びの際には、キーホルダ１２を用いて、例えば、他のかばん、ベルトループなどに引っ掛けても良い。いずれにしても、買い物袋２は、ケース兼用把持部材４により、コンパクトにされているので、邪魔になることはない。
【００２０】
以上、本考案の一実施例について説明したが、本考案は上記実施例に何ら限定されない。例えば、上記実施例のケース兼用把持部材４は、エラストマーから形成されているが、これに代え、帆布、皮、ポリエステルなど他の材質を用いても良い。
【００２１】
さらに、上記実施例では、ケース兼用把持部材４をループ状に巻き付けて閉じるにあたり、突起６を小孔８に装着しているが、例えば、ケース兼用把持部材４を皮などで形成した場合、突起６に代えて紐により巻きつけるようにしても良い。
【００２２】
また、キーホルダ１２の有無は、特に限定されるものではない。
さらに、上記実施例では特に言及していないが、買い物袋２とケース兼用把持部材４とを適宜な色に着色すれば、買い物袋２とケース兼用把持部材４との色の組み合わせを楽しむこともできる。
【００２３】
また、大きさの異なる２種類の買い物袋を用意して、１つのケース兼用把持部材４とセットにして販売することもできる。
さらに、このような携帯用買い物具をコンビニエンスストアなどで販売すれば、その場で携帯用買い物具を購入し、手軽に使用することもできる。
【００２４】
また、ケース兼用把持部材４の表面に適宜なデザインを施して、買い物袋２を包み込んだときの外部からの視認性を高めることもできる。
【図面の簡単な説明】
【００２５】
【図１】図１は本考案の一実施例による買い物用具を示したもので、携帯用にコンパクトにしたときの斜視図である。
【図２】図２は買い物袋を示した斜視図である。
【図３】図３（Ａ）、（Ｂ）はケース兼用把持部材の斜視図と、展開した状態での正面図である。
【図４】図４は、買い物袋を持ち運ぶ場合の使用説明図である。
【符号の説明】
【００２６】
２      買い物袋
４      ケース兼用把持部材
６      突起
８      孔
１０    携帯用買い物具
１２    キーホルダ
【図１】
0003135439.tif 000003
【図２】
0003135439.tif 000004
【図３】
0003135439.tif 000005
【図４】
0003135439.tif 000006